(57)【要約】【課題】  携帯情報端末の蓋の色調、艶等を本体と合わせるというデザイン的な要求と、開閉や設置が容易である等の機能的要求を両立する、携帯情報端末の蓋および携帯情報端末を提供する。【解決手段】  携帯電話機本体１の開口２９を開閉するための蓋２１は、溝２１２、２１３を有する成形樹脂部材２１Ａと、溝２１２、２１３に圧入嵌合され、かつ回転軸部２１８を有する弾性部材２１Ｂとを備える。【選択図】        図６
2006148684.tif 000002
【特許請求の範囲】
【請求項１】
携帯情報端末本体の開口を開閉するための蓋であって、
溝を有する成形樹脂部材と、
前記溝に圧入嵌合され、かつ回転軸部を有する弾性部材とを備えた、携帯情報端末用の蓋。
【請求項２】
前記成形樹脂部材はリブを有し、
前記溝は前記リブに形成された耳部嵌合用溝および腕部嵌合用溝を有し、
前記耳部嵌合用溝および前記腕部嵌合用溝の各々において、前記リブの根元側の溝幅が前記リブの突出先端側の前記溝幅より大きいことを特徴とする、請求項１記載の携帯情報端末用の蓋。
【請求項３】
前記弾性部材は、
両端に耳部を有する本体部と、
軸方向に垂直な断面が円形である前記回転軸部と、
前記本体部と前記回転軸部とを繋ぐ腕部とを有することを特徴とする、請求項２記載の携帯情報端末用の蓋。
【請求項４】
前記本体部と前記回転軸部とは、前記回転軸部の両端において、前記腕部によって連結されていることを特徴とする、請求項３記載の携帯情報端末用の蓋。
【請求項５】
前記耳部は前記耳部嵌合用溝に嵌合し、かつ前記腕部は前記腕部嵌合用溝に嵌合して組み立てられるように構成されたことを特徴とする、請求項３または４記載の携帯情報端末用の蓋。
【請求項６】
前記リブは、前記成形樹脂部材の本体部嵌合領域を取り囲むように形成されており、かつ前記弾性部材の前記本体部が前記本体部嵌合領域に嵌め込まれることにより、前記リブと嵌合していることを特徴とする、請求項２から５のいずれか記載の携帯情報端末用の蓋。
【請求項７】
前記弾性部材はゴム含有プラスチック樹脂から作製された部材であることを特徴とする、請求項１から６のいずれか記載の携帯情報端末用の蓋。
【請求項８】
開口を有する携帯情報端末本体と、
前記開口を開閉するための請求項１から７のいずれか記載の蓋とを備え、
前記携帯情報端末本体は前記蓋の保持部材を有し、
前記保持部材は前記開口付近の前記携帯情報端末本体の内部側に配置された第１のリブと第２のリブとを有し、
前記第１のリブは前記蓋の前記回転軸部を前記携帯情報端末本体の内壁との間に挟み、前記回転軸部を軸回りに回転自在かつ前記内壁に沿って移動可能ように配置され、
前記第２のリブは前記回転軸部が前記内壁に沿って移動した場合に、前記開口から脱落しないように配置された、携帯情報端末。
【請求項９】
前記第１のリブと前記第２のリブとは、前記回転軸部を前記保持部材に対して着脱可能な隙間をもって配置されていることを特徴とする、請求項８記載の携帯情報端末。
【請求項１０】
前記第１のリブと前記第２のリブとは、回路部品を組み込むことで、前記隙間が閉じられるように配置されていることを特徴とする、請求項９記載の携帯情報端末。
【請求項１１】
前記成形樹脂部材に前記弾性部材を嵌合圧入した状態で、前記耳部の少なくとも一方は、前記成形樹脂部材からはみ出す膨出部分を有し、
前記携帯情報端末本体は、前記開口側部に、前記膨出部分を受け入れる凹部を有することを特徴とする、請求項８から１０のいずれか記載の携帯情報端末。
【発明の詳細な説明】
【技術分野】
【０００１】
本発明は、携帯情報端末用の蓋および携帯情報端末に関し、より特定的には、携帯情報端末本体のカード挿入口、コネクタ接続口等の開口を開閉するための蓋およびこれを備えた携帯情報端末に関するものである。
【背景技術】
【０００２】
携帯情報端末本体のカード挿入口、コネクタ接続口等の開口には、防塵や防水等を目的として、蓋が設けられている。この蓋については、開閉の容易性や携帯情報端末本体への設置の容易性等の向上を目的として、種々の検討がなされている。
【０００３】
たとえば、特開平１０−６４６１５号公報には、図９を参照して、コネクタカバー５２の舌片５２１に凹部５２２を設け、一方、電子機器本体５１のカバー固定部の案内溝５１１には前述の舌片５２１の凹部５２２に相対する凸部５１２を形成する構造が提案されている。これにより、コネクタカバー５２の舌片５２１を案内溝５１１に合わせてスライド挿入するだけで、コネクタカバー５２を電子機器本体５１に嵌合することができ、開口部５１３をコネクタカバー５２で閉じることができる。
【０００４】
この構造によれば、組み立て作業性、および防水性がよい。
【０００５】
また、特開２００１−２１０９７２号公報には、図１０を参照して、外部接続端子を覆う蓋部６１と、本体側に取り付けられる舌片部６２とからなる携帯端末の端子カバー６０が提案されている。舌片部６２は第一の弾性変形部６２２と第二の弾性変形部６２５とを備えている。また、端子カバー６０は弾性素材で作製されている。この構成によれば、プラグの抜き差しが頻繁に行われるときは、舌片部６２の弾性により端子カバー６０を本体から取り外すことができ、取り外す必要がなくなったときには、舌片部６２の弾性により端子カバー６０を本体に簡単に取り付けられるようになっている。また、この取り付けた状態では、ガイド６２４に沿って端子カバー６１を本体（図示せず）に対して抜け止め６２３まで引き出すことができる。
【０００６】
また、特開２００３−２８３１５７号公報には、図１１を参照して、外部接続用のコネクタ７１０を閉鎖するキャップ７０が、筐体７１に挿入、嵌合するためのフック部７０１と、キャップ７０を折り曲げ可能にする薄肉部７０２とを有する構造が提案されている。フック部７０１は１／２半円球状の突起を有しており、この突起が抜脱の際のストッパとして作用することにより、キャップ７０の抜脱が防止されている。
【０００７】
また、特開２００３−３３１９７８号公報には、図１２（ａ）（ｂ）を参照して、コネクタ本体８０に蝶番８１を固定し、蝶番８１にコネクタの保護カバー８２を開閉自在に支持する構造が提案されている。嵌合部８３は外部インターフェイス部８４と充電端子８５との間に配置されている。これにより、保護カバー８２自身のサイズを縮小し、意匠デザイン上の制約となりにくくすることができる。また、コネクタと保護カバー８２とを一体化できるため、電子機器の組み立て時には保護カバー付コネクタとして組み立てることができ、組み立て工程が簡略化できる。
【特許文献１】特開平１０−６４６１５号公報
【特許文献２】特開２００１−２１０９７２号公報
【特許文献３】特開２００３−２８３１５７号公報
【特許文献４】特開２００３−３３１９７８号公報
【発明の開示】
【発明が解決しようとする課題】
【０００８】
ゴムのような弾性部材は容易に変形するため、弾性素材で作製したカバーでは開閉や設置等が容易である。そのため、一般的に、上述のような携帯情報端末の端子カバーは弾性素材で作製されている。しかしながら、携帯情報端末の外観部は樹脂成型品で構成される場合が多い。したがって、弾性部材を保護カバー等に使用する場合、デザイン的な要素である色調、艶等を合わせることは非常に困難である。
【０００９】
以上の理由により、上述した従来の構成によっては、コネクタを保護するカバーについて、携帯情報端末本体と色調、艶等を統一するというデザイン的要求と、開閉や設置が容易である等の機能的要求とを両立することはできない。
【００１０】
なお、上記ではいずれも蓋で外部接続用コネクタ部を保護するものを例として挙げたが、昨今はデータ記憶用カードの挿入口を備えるものも多く、その場合、その挿入口も蓋で保護されている。したがって、当該カード挿入用の蓋についても同様の課題が存在する。
【００１１】
そこで本発明の目的は、携帯情報端末の蓋について、色調、艶等を携帯情報端末本体と統一するというデザイン的な要求と、開閉や設置が容易である等の機能的要求とを両立する、携帯情報端末の蓋および携帯情報端末を提供することである。
【課題を解決するための手段】
【００１２】
本発明の携帯情報端末の蓋は、携帯情報端末本体の開口を開閉するための蓋であって、溝を有する成型樹脂部材と、溝に圧入嵌合され、かつ回転軸部を有する弾性部材とを備えている。
【００１３】
本発明の蓋によれば、蓋の外観部を携帯情報端末本体の外観部と同じ樹脂部材とすることで、蓋の色調、艶等を携帯情報端末本体と統一するというデザイン的な要求を満たすことができる。また、蓋の内側を弾性部材とすることで、開閉容易、設置容易等の機能的要求をも満たすことができる。さらに、接着剤を使用することなく、成型樹脂部材と弾性部材を押え合わせることで、両者を結合することができる。また、回転軸部を携帯情報端末本体において回転自在に保持することで、その回転動作により、蓋を開閉自在に設置することができる。これにより、弾性部材の弾性力を利用せずとも蓋を回転機構で開いた状態に保持できるため、開いた状態で操作者が蓋から手を放しても蓋が弾性部材の復元力で閉じた状態に移行することはなく、コネクタやカードの挿入が容易となる。
【００１４】
上記携帯情報端末用の蓋において好ましくは、成形樹脂部材はリブを有し、溝はリブに形成した耳部嵌合用溝および腕部嵌合用溝を有している。また、耳部嵌合用溝および腕部嵌合用溝の各々において、リブの根元側の溝幅がリブの突出先端側の溝幅より大きい。
【００１５】
これにより、前述の成型樹脂部材の溝に弾性部材を圧入嵌合させる際、弾性部材の嵌合部分を溝底まで圧入することで、溝から弾性部材が外れることを防止でき、安定して嵌合させることができる。
【００１６】
上記携帯情報端末用の蓋において好ましくは、弾性部材は、両端に耳部を有する本体部と、軸方向に垂直な断面が円形である回転軸部と、本体部と回転軸部とを繋ぐ腕部とを有している。
【００１７】
これにより、上記耳部および腕部を成型樹脂部材の溝に圧入することで、嵌合を安定させることができる。また、回転軸部の断面を円形とすることにより、蓋の開閉がスムーズになる。さらに、腕部の長さを変えることで、回転軸位置、回転半径を自由に選択でき、設計の自由度がひろがる。
【００１８】
上記携帯情報端末用の蓋において好ましくは、本体部と回転軸部とは回転軸部の両端において腕部によって連結されている。
【００１９】
これにより、軸の弾性が左右対称となり、設置された蓋のバランスが良くなる。また、本体部と結合していない回転軸部の中央部を携帯情報端末本体で保持することが可能となり、蓋を開閉自在に取り付けることが容易となる。
【００２０】
上記携帯情報端末用の蓋において好ましくは、弾性部材の耳部は耳部嵌合用溝に嵌合しており、かつ腕部は腕部嵌合用溝に嵌合して組み立てられるように構成されている。
【００２１】
これにより、接着を行うことなく、上述の成型樹脂部材と弾性部材との結合を安定させることができる。
【００２２】
上記携帯情報端末用の蓋において好ましくは、上述のリブは、成形樹脂部材の本体部嵌合領域を取り囲むように形成されており、かつ弾性部材の本体部が成形樹脂部材の本体部嵌合領域に嵌め込まれることにより、リブと嵌合している。
【００２３】
これにより、接着を行うことなく、上述の成型樹脂部材と弾性部材との結合を安定させることができる。
【００２４】
上記携帯情報端末用の蓋において好ましくは、弾性部材はゴム含有プラスチック樹脂から作製された部材である。
【００２５】
これにより、ゴム含有プラスチック樹脂の有する弾性を利用して、接着剤を使用することなく、成形樹脂部材と弾性部材を押え合わせることで、両者を容易に結合することができる。また、ゴム含有プラスチック樹脂の有する弾性により、蓋の開閉がスムーズとなる。
【００２６】
本発明の携帯情報端末は、開口を有する携帯情報端末本体と、開口を開閉するための上述の蓋とを備えている。携帯情報端末本体は蓋の保持部材を有し、その保持部材は開口付近の携帯情報端末本体の内部側に配置された第１のリブと第２のリブとを有している。第１のリブは蓋の回転軸部を携帯情報端末本体の内壁との間に挟み、回転軸部を軸回りに回転自在かつ内壁に沿って移動可能ように配置されている。第２のリブは回転軸部が内壁に沿って移動した場合に、開口から脱落しないように配置されている。
【００２７】
本発明の携帯情報端末によれば、蓋の外観部を携帯情報端末の外観部と同じ成形樹脂部材とすることで、蓋の色調、艶等を携帯情報端末本体と統一するというデザイン的な要求を満たすことができる。また、蓋の内側を弾性部材とすることで、蓋の開閉や設置が容易であること等の機能的要求をも満たすことができる。さらに、弾性部材の回転軸部を保持部材で回転自在に保持することで、蓋を開閉自在に設置することができる。また、回転軸部を携帯情報端末内壁に沿って開口付近まで移動可能とすることで、開けられた蓋が弾性部材の復元力によって閉じられることはなく、大きく開けた状態で保持できる。したがって、コネクタやカード等の挿入、取り出しが容易となる。
【００２８】
上記携帯情報端末において好ましくは、第１のリブと第２のリブとは、回転軸部の保持部材に対して着脱可能な隙間をもって配置されている。
【００２９】
これにより、携帯情報端末の組み立ての際、蓋の設置が容易となる。
【００３０】
上記携帯情報端末において好ましくは、第１のリブと第２のリブとは、回路部品を組み込むことで、隙間が閉じられるように配置されている。
【００３１】
これにより、新たな部品を加えることなく、蓋の外れ防止が可能となる。また、携帯情報端末の組み立てが容易となる。
【００３２】
上記携帯情報端末において好ましくは、成形樹脂部材に弾性部材を嵌合圧入した状態で、弾性部材の耳部の少なくとも一方は、成形樹脂部材からはみ出す膨出部分を有している。携帯情報端末本体は、開口側部に膨出部分を受け入れる凹部を有している。
【００３３】
これにより、蓋を閉めた際、前述の膨出部分が開口側部の凹部に受け入れられるため、蓋が閉じた状態で保持される。また、弾性部材の弾性により、容易に蓋を開けることも可能となる。さらに、蓋の開閉を行う際の異音の発生も防止できる。
【発明の効果】
【００３４】
以上の説明から明らかなように、本発明の携帯情報端末用の蓋および携帯情報端末によれば、携帯情報端末の本体と蓋の色調、艶等を合わせることができ、外観上のデザイン的要求を満たすことができる。また、これと同時に、蓋に求められる開閉容易、設置容易等の機能的要求をも満たすことができる。
【発明を実施するための最良の形態】
【００３５】
以下、本発明の実施の形態について、図に基づいて説明する。
【００３６】
図１は、本発明の一実施の形態における携帯電話機の開いた状態を示す斜視図である。図２は、図１の携帯電話機の閉じた状態を示す斜視図である。図３は、図２の携帯電話機を上下逆にした状態を示す斜視図である。
【００３７】
図１〜３を参照して、本実施の形態の携帯電話機は、携帯電話機本体１と、蓋２１とを有している。蓋２１は、携帯電話機本体１のカード挿入口、コネクタ接続口等の開口を開閉するためのものである。本実施の形態では、蓋２１は、たとえばＳＤ（Secure Digital）カードのようなデータ記憶用カード挿入口を開閉するためのものである。
【００３８】
図４は、本発明の一実施の形態における携帯電話機用の蓋を構成する成形樹脂部材の構成を示す斜視図である。図５は、本発明の一実施の形態における携帯電話機用の蓋を構成する弾性部材の構成を示す斜視図である。図６は、図４の成形樹脂部材と図５の弾性部材とを組み合わせて構成される、携帯電話機用の蓋の構成を示す斜視図である。
【００３９】
図６を参照して、蓋２１は、成形樹脂部材２１Ａと弾性部材２１Ｂとを有している。
【００４０】
図４を参照して、成形樹脂部材２１Ａはリブ２１１を有し、リブ２１１は本体部嵌合領域２２０を取り囲むように形成されている。このリブ２１１には耳部嵌合用溝２１２と腕部嵌合用溝２１３とが形成されている。耳部嵌合用溝２１２および腕部嵌合用溝２１３はいずれも、根元側の溝幅Ｗ１、Ｗ３が突出側の溝幅Ｗ２、Ｗ４よりも大きくなるように形成されている。
【００４１】
成形樹脂部材２１Ａは携帯電話機本体１と同じ、たとえばＡＢＳ（Acrylonitrile Butadiene Styrene resin）やＰＣ-ＡＢＳ（Polycarbonate- Acrylonitrile Butadiene Styrene resin）等のプラスチック樹脂等により作製されている。また、外観の塗装も携帯電話機本体１と同じものを使用している。成形樹脂部材２１Ａはデータ記憶用カード挿入口の蓋２１の外観部を構成することから、携帯電話機本体１とデータ記憶用カード挿入口の蓋２１の色彩、艶等を共通にするという、デザイン上の要求を満たすことができる。
【００４２】
図５を参照して、弾性部材２１Ｂは、弾性部材本体２１５と、腕部２１７と、回転軸部２１８とを有している。また、弾性部材本体２１５は両端の各々に突き出すように形成された耳部２１６を有している。回転軸部２１８は、軸方向に垂直な断面が円形であり、かつその回転軸部の両端２１８の各々で腕部２１７により弾性部材本体２１５に連結されている。弾性部材２１ＢはＴＰＥ（Thermoplastic-Elastomer）やＴＰＥＥ（Thermoplastic-Polyester-Elastomer）等のゴム含有プラスチック樹脂（エラストマー）を材料として作製されている。
【００４３】
図６を参照して、データ記憶用カード挿入口の蓋２１は、弾性部材２１Ｂの耳部２１６を成形樹脂部材２１Ａの耳部嵌合用溝２１２に、また弾性部材２１Ｂの腕部２１７を成形樹脂部材の腕部嵌合用溝２１３に、それぞれ圧入嵌合することにより組み立てられている。また、この際、弾性部材２１Ｂの本体２１５が成形樹脂部材２１Ａの本体部嵌合領域２２０に嵌め込まれることにより、リブ２１１と嵌合している。
【００４４】
ここで、前述のように耳部嵌合用溝２１２および腕部嵌合用溝２１３は、根元側の溝幅が突出側の溝幅よりも大きくなるように形成されており、かつ弾性部材２１Ｂの耳部２１６および腕部２１７は弾性を有する。したがって、耳部２１６および腕部２１７は変形しながら圧入され、リブの根元まで圧入されると復元する。そのため、接着剤等を使用することなく、成形樹脂部材２１Ａと弾性部材２１Ｂとは強固に結合されている。組み立ては弾性を利用して、弾性部材２１Ｂを指で押えることにより、容易に行うことができる。また、弾性部材２１Ｂは冶具にて押し込まれてもよい。
【００４５】
図７は、本発明の一実施の形態における携帯電話機本体内部の開口付近の構成を示す斜視図である。図８は本発明の一実施の形態における携帯電話機の蓋の開閉動作を示す概略断面図であり、（ａ）は蓋が閉じた状態、（ｂ）は蓋が開いた状態を示している。
【００４６】
図７を参照して、携帯電話機本体１のデータ記憶用カード挿入口の開口２９付近の内部側には、上記蓋２１を保持するための保持部材が設けられている。この保持部材は、第一のリブ２９１と、第二のリブ２９２と、凹部２９３とを有している。第１のリブ２９１と第２のリブ２９２とは、これらの間に回転軸部を着脱可能な隙間をもって配置されている。凹部２９３は開口２９の側部に設けられている。
【００４７】
図６および図７を参照して、蓋２１の回転軸部２１８は第一のリブ２９１と内壁２９４とに挟まれる空間に挿入されることで、蓋２１が携帯電話機本体１に取り付けられている。このとき、回転軸部２１８は弾性を有するが、直径は１ｍｍ程度であり、弾性力は大きくないため、容易に挿入が可能である。また、耳部２１６は成形樹脂部材２１Ａからはみ出す膨出部分２１６Ａを有している。一方、開口２９の側部には凹部２９３が形成されている。蓋２１を閉じる際は、膨出部２１６Ａはその弾性により容易に変形し、凹部２９３に受け入れられ復元する。これにより、蓋２１は携帯電話機本体１に固定される。蓋２１を開ける場合、膨出部２１６Ａは弾性を有するため変形して凹部２９３から抜けるため、蓋２１を開けることができる。なお、肉厚は０.５ｍｍ程度であるため、弾性力は小さく、容易に開けることができる。また、膨出部２１６Ａが存在することにより、成形樹脂部材同士が接触しないため、蓋２１を開閉する際の異音の発生も防止される。
【００４８】
図７および図８を参照して、蓋２１が携帯電話機本体１に取り付けられた後、回路部品４０が組み込まれる。これにより、第一のリブ２９１と第二のリブ２９２との間の隙間が回路部品４０によって閉じられるため、新たな部品を加えることなく、蓋２１の携帯電話機本体１からの外れが防止される。
【００４９】
次に本実施の形態における蓋の開閉動作について説明する。
【００５０】
図８を参照して、図８（ａ）の状態から蓋２１の回転軸部２１８の反対側を携帯電話機本体１に対して持ち上げるように倒すと、回転軸部２１８が第一のリブ２９１と内壁２９４の間をスライドし、第二のリブ２９２接触するため、脱落することなく止まる。蓋２１は、回転軸部２１８を軸として携帯電話機本体１に対して回転することで開けられ、図８（ｂ）に示す状態となる。このとき、腕部２１７は弾性を有するため、回転軸部２１８は第一のリブ２９１と内壁２９４との間をスムーズに移動する。また、前述のように回転軸部２１８は円形の断面を有するため、スムーズに回転し、蓋２１は滑らかに開閉することができる。さらに、回転軸部２１８がスライドするため、蓋２１を開けた状態で弾性を有する腕部２１７は変形しておらず、その弾性によって閉まることはない。よって、カードの挿入、取り出しを容易に行うことができる。また、蓋２１が開いた状態（図８（ｂ））から閉じた状態（図８（ａ））への移行は上記と逆の操作をすることにより可能である。
【００５１】
なお、本実施の形態の携帯電話機本体１は、たとえば折り畳み方式の携帯電話機本体であってもよい。この場合の携帯電話機本体１の構成について以下に概略を説明する。
【００５２】
図１〜３を参照して、本実施の形態の折り畳み方式の携帯電話機本体１は、第一の筐体２と、第二の筐体３と、ヒンジ部４とを有している。ヒンジ部４により、第一の筐体２と第二の筐体３とは第一の回転軸５を軸として回動自在に連結されている。また、第二の筐体３は、たとえば第二の回転軸６を軸として回転自在に連結されたヒンジ接続部３ａと表示部保持部３ｂとを有している。第一の筐体２は、データ記憶用カード挿入口の蓋２１以外に、表面側にはたとえばファンクションキーなどからなる第一の操作部２２、テンキーなどからなる第二の操作部２３、通話用マイク２４などを有し、背面側にはたとえば第二のカメラユニット２６、フラッシュ２７、サブ表示部２８などを有している。また、第二の筐体３は、表面側にたとえば表示部３１、レシーバー３２、第一のカメラユニット３３などを有し、背面側にはスピーカーなどを有している。
【００５３】
本実施の形態によれば、蓋２１の外観部である成形樹脂部材２１Ａを携帯電話機本体１と同じ素材から作製することで、蓋２１の色調、艶等を携帯電話機本体１と統一するというデザイン的な要求を満たすことができる。また、蓋２１の内側を弾性部材２１Ｂとすることで、蓋２１の開閉や設置が容易であること等の機能的要求をも満たすことができる。さらに、弾性部材２１Ｂの回転軸部２１８を携帯電話機本体の第一のリブ２９１および第二のリブ２９２で回転自在に保持することで、蓋２１を開閉自在に設置することができる。また、回転軸部２１８を携帯電話機本体１の内壁２９４に沿って開口２９付近まで移動可能とすることで、開けられた蓋２１が弾性部材２１Ｂの復元力によって閉じられることはなく、大きく開けた状態で保持することができる。したがって、記憶用カードの挿入、取り出しが容易となる。
【００５４】
また、上記においては、折り畳み式方式の携帯電話機について説明したが、本発明はこれに限定されるものではなく、ストレートタイプやフリップタイプの携帯電話機にも適用することができる。
【００５５】
また、本実施の形態においては、携帯情報端末の一例として携帯電話機について説明したが、本発明の携帯情報端末はこれに限定されるものではなく、ＰＤＡ（personal data assistant）、ノート型パーソナルコンピュータ、通信可能なデジタルカメラなどであってもよい。
【００５６】
また、携帯情報端末の蓋はたとえばデータ記憶用カード挿入口の蓋であるが、コネクタ挿入口の蓋、イヤホンジャック挿入口の蓋などであってもよい。
【００５７】
今回開示された実施の形態はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【産業上の利用可能性】
【００５８】
本発明の携帯情報端末用の蓋および携帯情報端末は、携帯情報端末本体の開口を開閉するための蓋および当該蓋を備えた携帯情報端末に特に有利に適用することができる。
【図面の簡単な説明】
【００５９】
【図１】本発明の一実施の形態における携帯電話機の開いた状態を示す斜視図である。
【図２】図１の携帯電話機の閉じた状態を示す斜視図である。
【図３】図２の携帯電話機を上下逆にした状態を示す斜視図である。
【図４】本発明の一実施の形態における携帯電話用の蓋を構成する成形樹脂部材の構成を示す斜視図である。
【図５】本発明の一実施の形態における携帯電話用の蓋を構成する弾性部材の構成を示す斜視図である。
【図６】図４の成形樹脂部材と図５の弾性部材を組み合わせて構成される、携帯電話用の蓋の構成を示す斜視図である。
【図７】本発明の一実施の形態における携帯電話機本体内部の開口付近の構成を示す斜視図である。
【図８】本発明の一実施の形態における携帯電話機本体に蓋を取り付けた様子を示す概略断面図であり、（ａ）は蓋が閉じた状態、（ｂ）は蓋が開いた状態を示している。
【図９】従来の電子機器本体に対してスライドさせて挿入可能なコネクタカバーの構成を示す斜視図である。
【図１０】従来の舌片部を有する端子カバーの構成を示す斜視図である。
【図１１】従来の嵌合用フック部および折り曲げ用薄肉部を有するコネクタキャップを示す断面図である。
【図１２】従来のコネクタと保護カバーを一体化したコネクタ部の構成を示す概略図である。
【符号の説明】
【００６０】
１  携帯電話機本体、２  第一の筐体、３  第二の筐体、３ａ  ヒンジ接続部、３ｂ  表示部保持部、４  ヒンジ部、５  第一の回転軸、６  第二の回転軸、２１  データ記憶用カード挿入口の蓋、２１Ａ  データ記憶用カード挿入口の蓋を構成する成形樹脂部材、２１Ｂ  データ記憶用カード挿入口の蓋を構成する弾性部材、２２  第一の操作部、２３  第二の操作部、２４  通話用マイク、２６  第二のカメラユニット、２７  フラッシュ、２８  サブ表示部、２９  データ記憶用カード挿入口の開口、３１  表示部、３２  レシーバー、３３  第一のカメラユニット、４０  回路部品、２１１  リブ、２１２  耳部嵌合用溝、２１３  腕部嵌合用溝、２１５  弾性部材本体、２１６  耳部、２１６Ａ  耳部膨出部、２１７  腕部、２１８  回転軸部、２９１  第一のリブ、２９２  第二のリブ、２９３  凹部、２９４  内壁。
【図１】
2006148684.tif 000003
【図２】
2006148684.tif 000004
【図３】
2006148684.tif 000005
【図４】
2006148684.tif 000006
【図５】
2006148684.tif 000007
【図６】
2006148684.tif 000008
【図７】
2006148684.tif 000009
【図８】
2006148684.tif 000010
【図９】
2006148684.tif 000011
【図１０】
2006148684.tif 000012
【図１１】
2006148684.tif 000013
【図１２】
2006148684.tif 000014